(57)【要約】      （修正有）【課題】巻尺による測量に要する補助者を不要とする補助固定金具装置を提供する。【解決手段】巻尺の巻き出し目盛り部固定用マグネット金具（マグネット本体）、支点金具（台座本体）、補助金具装置を固定する金具（押しピン台座）よりなる。【選択図】なし【特許請求の範囲】
【請求項１】
天井等高所において巻尺を用いた寸法測定をおこなうに際して、巻尺先端部分より約２ｍ程度までは採寸作業者独りで正確な測定値を求めることは可能だがそれを超える測定距離が必要な場合、巻尺先端から測定距離までの間に採寸補助者など測定作業を補助するための人力など某かの支持がない場合は重力によって巻尺の垂れ下がりが発生する。その重力による垂れ下がりを回避すること。採寸に当たって測定補助作業のための人的補充を回避できること。そして大工工事など正確な測定値を求められる採寸作業が可能になる巻き尺測定作業のための補助固定金具装置。
【請求項２】
この固定金具装置を、測定の値を求めなければならない採寸部分に一定の間隔（約１．２ｍ〜１．５ｍ）であらかじめ設置することにより、作業員一人で測定採寸するための巻尺をその設置した支持点を通すことで、巻き尺の垂れ下がりが回避され、測量採寸点まで正確に巻き尺が伸び、その値を測ることが出来るようになる。
【請求項３】
この固定金具装置は、添付図面の通り、固定金具装置を設置した作業面から脱着が容易で、固定金具装置自体のサイズも小さく、固定金具装置を必要に応じて複数個使っても、装置そのものが軽量で、測量値を求めたい作業面自体に負荷をかけること無く、求めたい測量値を正確に測定することが実現できる。
また、この固定金具装置は、設計構造等が簡単なため製品価格も安価に提供できることとなり、この発明の本来目的である人件費等の経費節減に十分寄与できる。
【発明の詳細な説明】
【技術分野】
【０００１】この発明は、大工作業等で巻き尺による採寸等測量作業が頻繁に求められる場面があるが、測量に際して補助者などを必要とすることなく且つ正確な測量の値を求めるために用いる巻き尺測量補助固定金具装置の形状に関する。
【背景技術】
【０００２】従来、大工作業等で寸法取りや墨付けなどの測量作業を行う際は写真図１（補助者を含めた作業風景）の様に測量作業をするために測量補助者を必要としている。
【発明の概要】
【発明が解決しようとする課題】
【０００３】この発明は、大工や左官工などの寸法取り測量作業に必要な補助固定金具装置を利用することで補助作業者を必要とせず一人で測量採寸作業を完結できる。
測量に要する補助者を不要とするため、この補助固定金具装置を提供することを課題とする。
【課題を解決するための手段】
【０００４】  以上の課題を解決するために、発明は、巻き尺を巻き出した目盛り部分を固定するマグネット装置金具、巻き尺の巻き出し先端部分を固定支持する装置金具と巻き出された目盛り尺を支持する装置金具を設けたことを特徴とする巻き尺による測量作業補助固定金具装置。
【発明の効果】
【０００５】  この発明に拠って、測量作業のための補助人員を擁すること無く測量採寸作業が一人で容易に出来る。
【発明を実施するための最良の形態】
【０００６】  この発明の一実施形態を、図１（固定金具詳細図面）、図２（簡易使用例図）、写真図１（図面代用写真）、写真図２（図面代用写真）、写真図３（図面代用写真）、写真図４（図面代用写真）、写真図５（図面代用写真）に示す。
巻き尺測量作業の補助固定金具装置は、図１の側面詳細図並びに正面詳細図のとおり、▲１▼巻き尺の巻き出し目盛り部固定用マグネット金具（マグネット本体）、▲２▼巻き尺巻き出し先端部を固定できる形状を持つと同時に巻き出し目盛りを支える支点金具（台座本体）、▲３▼測量すべき壁面等に補助金具装置を固定する金具（押しピン台座）の三つの部品で構成される。▲４▼台座本体は押しピン台座で天井部分等高所の壁に固定されるが、取り外ししやすい様にピン部分にバネを装着しているので、寸法取りの目的達成後容易に取り外すことが出来る。【０００７】巻き尺測量用補助固定金具装置は図１及び写真図２の様に、１・２・３及び４の４点の部品を一体的に用いる。【０００８】「実施形態の効果」
この実施形態によれば、天井等高所での巻き尺を用いた寸法採寸作業を行う場合、巻き尺先端より約２ｍを超えると、巻き尺巻き出し部分に支持がない場合に重力によって巻き尺巻き出し部分に垂れ下がりを生じてしまいます。
この垂れ下がりを作業用固定金具装置を取付けることにより解決できることとなります。
【図面の簡単な説明】
【０００９】
【図１】この発明の実施形態を示す固定金具詳細図面である。
【図２】この発明の実施形態を示す図１の固定金物装置を用いて寸法取り作業を行う簡易使用例図である。
【写真図１】
この発明の実施形態がない場合の寸法取り補助者との寸法取りの実作業状態の写真図である。
【写真図２】
この発明の実施形態を示す固定金具装置の側面全体の写真図である。
【写真図３】
この発明の実施形態を示す固定金具装置の正面全体の写真図である。
【写真図４】
この発明の実施形態を示す固定金具装置の四つの部品構成が分かる様に撮影した写真図である。
【写真図５】
この発明の実施形態を示す固定金具装置を使って巻き尺で寸法取り測定している写真図である。
2014219374.tif 000002
2014219374.tif 000003
2014219374.tif 000004
2014219374.tif 000005
【手続補正書】
【提出日】平成25年10月25日(2013.10.25)
【手続補正１】
【補正対象書類名】明細書
【補正対象項目名】０００９
【補正方法】変更
【補正の内容】
【０００９】
【図１】この発明の実施形態を示す固定金具の正面及び側面の詳細図面である。天井面と壁面の入隅に対して固定金具を当てる（この時に天井面や壁面と固定金具本体との間には本来隙間はない）。壁面などの計測時にこの固定金具本体に台座ピン並びにバネの着いた押しピン台座を押し込むことにより、固定金具全体が壁面に固定する。計測作業時の計測使用に応じて固定金具の天地を反転させて利用する。
【図２】この発明の実施形態を示す図１の固定金物装置を用いて寸法取り作業を行う簡易使用例図である。計測の起点となるｉｉを固定する際にはマグネット本体部分が天地反転状態の下にして１７ミリの台形部分に巻き尺起点部分を固定して使用する。巻き尺目盛り部分ｉｉｉを支持補助する際には図１の▲３▼マグネット本体部分の磁力で、巻き尺目盛り部分の垂れ下がり防止が出来、正確性の要求される計測値が求める事が出来る。
【図３】この発明の実施形態がない場合、正確な寸法取りを要する大工作業等では、巻き尺の垂れ下がりを防ぐために２ｍ以上の採寸に当たって、寸法取りのために補助者を必要とする実作業例写真図である。
【図４】この発明の実施形態を示す固定金具装置の試作模型。製品化では台座部分等アルミ製とするが、本試作段階では一部ベニヤ板などで試作した全体写真図である。
【図５】この発明固定金具装置品で壁面等の寸法取り採寸作業をする時の実施形態実用例を示す。左写真は巻き尺巻き出し先端部を固定する際の使用例。右写真は巻き尺の垂れ下がりを防止するための支持点としての使用例。使用条件で固定用金具本体の天地を変えて使用する。この固定金具装置正面の写真図である。
【図６】この発明の実施形態を示す固定金具装置の台座本体と押しピン台座を外した状態。押しピン台座のピン部分にバネを追加することにより測量面からの固定金具装置の脱着が容易となる。固定金具装置はこの四つの部品構成から成っていることが分かる様に撮影した写真図である。
【図７】この発明の実施形態を示す固定金具装置を使って、採寸補助者を要さず一人で寸法取り測定を実施している使用例写真図である。
【符号の説明】
図１
▲１▼  台座本体
▲２▼  押しピン台座
▲３▼  マグネット本体
▲４▼  押しピン
▲５▼  押しピンの取り外しを容易にするバネ
▲６▼  押しピンが壁面に貫通するための穴
図２
ｉ      固定金具
ｉｉ    巻き尺起点部の固定
ｉｉｉ  巻き尺計測目盛り部
ｉｖ    巻き尺計測面の支持補助
ｖ      巻き尺本体
【手続補正２】
【補正対象書類名】図面
【補正対象項目名】全図
【補正方法】変更
【補正の内容】
【図１】
2014219374.tif 000006
【図２】
2014219374.tif 000007
【図３】
2014219374.tif 000008
【図４】
2014219374.tif 000009
【図５】
2014219374.tif 000010
【図６】
2014219374.tif 000011
【図７】
2014219374.tif 000012